(57)【特許請求の範囲】
【請求項１】
肩にかけることが可能な持ち手が設けられた袋体と、
前記持ち手に取り付けられたホルダ部材と、
前記袋体の底側と前記ホルダ部材を結ぶストラップとを備え、
前記ホルダ部材は、前記ストラップの幅よりも長い領域で前記持ち手を覆ったものであって、該持ち手に沿って移動可能なものであり、
前記ストラップは、前記袋体の底側の左右いずれか一方側に付け替え自在なものであって、前記持ち手を使用者の左肩にかけ該袋体の一方側の胴を該使用者側にした状態では、該一方側の胴を正面視した場合に、該持ち手に沿って正面視右側に移動させた前記ホルダ部材と前記袋体の底側の正面視左側を結び、該持ち手を使用者の右肩にかけ該一方側の胴を該使用者側にした状態では、該一方側の胴を正面視した場合に、該持ち手に沿って正面視左側に移動させた該ホルダ部材と該袋体の底側の正面視右側を結ぶものであることを特徴とするバッグ。
【請求項２】
前記ホルダ部材は、前記持ち手から取り外し自在なものであることを特徴とする請求項１記載のバッグ。
【請求項３】
前記袋体は、第１胴と第２胴の間に収納空間を有するものであり、
前記持ち手は、前記第１胴に設けられた第１持ち手と、前記第２胴に設けられ、該第１持ち手とは離れた第２持ち手を含むものであり、
前記ホルダ部材は、前記第１持ち手と前記第２持ち手を一つにまとめるものであることを特徴とする請求項１又は２記載のバッグ。
【請求項４】
前記ホルダ部材は、前記持ち手に巻き付けられたものであり、
前記ストラップは、前記ホルダ部材に巻き付けられたものであることを特徴とする請求項１乃至３のうちいずれか１項記載のバッグ。
【発明の詳細な説明】
【技術分野】
【０００１】
本発明は、肩にかけることが可能な持ち手が設けられた袋体を備えたバッグに関する。
【背景技術】
【０００２】
バッグは、ファッション性と機能性とを兼ね備えた服飾雑貨として人気があり、いわゆるボストンバッグやトートバッグなど多数の形態のものがある。特に、肩にかけることが可能な持ち手を有するバッグは、使用者の肩にかけられた状態では両手を拘束しないので多用途に使用することが可能であり、幅広い年齢層に利用されている。
【０００３】
この肩にかけることが可能な持ち手を有するバッグを、使用者の肩にかけて使用していると、その持ち手が肩からずり落ちてしまうことがある。そのずり落ち防止策として、本願出願人はこれまで、いくつかの提案を行っている（例えば、特許文献１または特許文献２参照）。本願出願人のこれらの提案によって、持ち手が肩からずり落ちてしまうのではないかといったストレスを感じることなくバッグを使用することができるようになり、これらの提案を採用したバッグの使用用途は拡がっている。
【先行技術文献】
【特許文献】
【０００４】
【特許文献１】国際公開公報Ｗ２０１５／０１９９９６
【特許文献２】国際公開Ｗ２０１８／９７００２
【発明の概要】
【発明が解決しようとする課題】
【０００５】
使用用途が拡がってくると、バッグに重たいものを収納して使用する場面が出てくる。この場面では、持ち手が変形して肩に食い込むことを低減することが望まれる。
【０００６】
本発明は上記事情に鑑み、持ち手が変形して肩に食い込むことを低減することができるバッグを提供することを目的とする。
【課題を解決するための手段】
【０００７】
上記目的を解決する本発明のバッグは、
肩にかけることが可能な持ち手が設けられた袋体と、
前記持ち手に取り付けられたホルダ部材と、
前記袋体の底側と前記ホルダ部材を結ぶストラップとを備え、
前記ホルダ部材は、前記ストラップの幅よりも長い領域で前記持ち手を覆ったものであって、該持ち手に沿って移動可能なものであり、
前記ストラップは、前記袋体の底側の左右いずれか一方側に付け替え自在なものであって、前記持ち手を使用者の左肩にかけ該袋体の一方側の胴を該使用者側にした状態では、該一方側の胴を正面視した場合に、該持ち手に沿って正面視右側に移動させた前記ホルダ部材と前記袋体の底側の正面視左側を結び、該持ち手を使用者の右肩にかけ該一方側の胴を該使用者側にした状態では、該一方側の胴を正面視した場合に、該持ち手に沿って正面視左側に移動させた該ホルダ部材と該袋体の底側の正面視右側を結ぶものであることを特徴とする。
【０００８】
本発明のバッグによれば、前記ホルダ部材が前記ストラップの幅よりも長い領域で前記持ち手を覆うことで、前記ホルダ部材が前記持ち手に広い範囲で接することになり、点で接する場合よりも一箇所にかかる力が小さくなり、該持ち手が変形する場合であっても、該持ち手は広い範囲にわたって変形するため、１箇所において変形するよりも変形の程度は小さくてすみ、該持ち手が変形して肩に食い込むことを低減することができる。
【００１０】
また、前記ストラップは、前記持ち手が使用者の肩にかけられ、前記袋体の収納部が該使用者の背中側に位置する場合に、該使用者の胸側で、前記持ち手と前記袋体の底側とを互いに引き寄せることで、該収納部の一部が使用者の背中に接触した状態を維持するものであってもよい。すなわち、前記ストラップは、前記持ち手が使用者の肩にかけられて使用する場合に、前記持ち手がかけられた使用者の肩とは反対側の肩が存在する体側に向かって、該袋体の収納部およびこのストラップが接続された前記ホルダ部材が取り付けられた持ち手を引っ張り、該収納部の一部が使用者の背中に接触した状態を維持するものであってもよい。
【００１１】
また、
前記ホルダ部材は、前記持ち手に沿って移動可能なものであることを特徴とすることが好ましい。
【００１２】
こうすることで、前記ストラップの、前記持ち手側の位置を簡単に調節することができる。また、前記袋体に収納された荷物の重さは、前記持ち手に直接かかる下向きの力と、前記ホルダ部材を介して該持ち手が前記ストラップによって引っ張られる力とに分力される。バッグを装着して動くうちに、該持ち手に直接かかる下向きの力と、該持ち手が前記ストラップによって引っ張られる力とが最もバランスした位置に前記ホルダ部材が自然と位置するようになる場合があり、該持ち手が変形して肩に食い込むことをより低減することができる場合がある。
【００１３】
また、
前記ホルダ部材は、前記持ち手から取り外し自在なものであることを特徴としてもよい。
【００１４】
前記ホルダ部材もバッグのデザインの一部を構成するものである。前記持ち手を肩にかけるのではなく手に持つ場合には、該ホルダ部材を取り外せば、全体的なイメージが少し変わったバッグとして使用することができるようになる。
【００１５】
また、
前記袋体は、第１胴と第２胴の間に収納部を有するものであり、
前記持ち手は、前記第１胴に設けられた第１持ち手と、前記第２胴に設けられ、該第１持ち手とは離れた第２持ち手を含むものであり、
前記ホルダ部材は、前記第１持ち手と前記第２持ち手を一つにまとめるものであることを特徴としてもよい。
【００１６】
前記第１持ち手と前記第２持ち手といった２つの持ち手を一つにまとめることができれば、持ち手全体としての強度が高まり、該持ち手が変形して肩に食い込むことがより低減される。また、前記ホルダ部材によって前記第１持ち手と前記第２持ち手が一つにまとめられていれば、肩にかけた場合に一方の持ち手のみが肩からずり落ちることがなくなる。
【００１７】
また、
前記ホルダ部材は、前記持ち手に巻き付けられたものであり、
前記ストラップは、前記ホルダ部材に巻き付けられたものであることを特徴とした態様であってもよい。
【００１８】
この態様によれば、簡単な構造で前記ストラップを前記ホルダ部材に接続させることができる。
【発明の効果】
【００１９】
本発明のバッグによれば、持ち手が変形して肩に食い込むことを低減することができる。
【図面の簡単な説明】
【００２０】
【図１】第１実施形態のバッグを示す正面図である。
【図２】図１に示すバッグの側面を模式的に示した図である。
【図３】図１に示すバッグの収納部を背中側で固定する例を模式的に示す図である。
【図４】図１に示すバッグの変形例を示す図である。
【図５】第２実施形態のバッグを示す正面図である。
【図６】図５に示すバッグの変形例を示す図である。
【図７】第３実施形態のバッグを示す正面図である。
【発明を実施するための形態】
【００２１】
以下、図面を参照して本発明の実施の形態を説明する。
【００２２】
図１は、第１実施形態のバッグを示す正面図であり、図２は、図１に示すバッグの側面を模式的に示した図である。
【００２３】
図１に示すバッグ１は、袋体１１と、ホルダ部材１２と、ストラップ１３を備えている。袋体１１は、図２に示すように、第１胴１１１と、第２胴１１２と、底部１１３を有する。第１胴１１１と第２胴１１２は、ナイロン製であり、同じ形状であって同じ大きさである。第１胴１１１と第２胴１１２は、互いの左右両側どうしが縫い合わされており、第１胴１１１の下端部と第２胴１１２の下端部は、革製の底部１１３で結ばれている。すなわち、第１胴１１１と第２胴１１２の間に収納部１１０が設けられており、第１胴１１１の上縁と第２胴１１２の上縁の間が、収納部１１０につながる開口になる。この開口は、ファスナやボタン等の留め具によって閉じた状態を維持できるようにしてもよい。
【００２４】
図２には、この収納部１１０に荷物を詰め込み収納部１１０が膨らんだ状態のバッグ１が示されている。また、図２に示すバッグ１からは、ストラップ１３が取り外されており、図２にはストラップは示されていない。第１胴１１１には第１持ち手１１６が取り付けられており、第２胴１１２には第２持ち手１１７が取り付けられている。図１は、第１胴１１１側から見た図であり、この図１には、第１持ち手１１６が第１胴１１１に縫い付けられた縫い目ｓｔが示されている。以下、第１持ち手１１６と第２持ち手１１７を総称して単に持ち手１１５と称する場合がある。持ち手１１５は、肩にかけることが可能な長さのものであり、本実施形態のバッグ１は、いわゆるトートバッグと呼ばれるものである。
【００２５】
第１持ち手１１６と第２持ち手１１７は、図２に二点鎖線で示すように互いに離れているが、実線で示すようにホルダ部材１２によって一つにまとめられる。ホルダ部材１２は、第１持ち手１１６と第２持ち手１１７を重ね合わせた状態で、これらの持ち手に巻き付けられたものである。図１に示すバッグ１では、ホルダ部材１２は、持ち手１１５の右側（バッグ１自身からすれば左側）の付け根部分に取り付けられているが、図２示すバッグ１では、ホルダ部材１２は、持ち手１１５の一番高い位置に取り付けられている。ホルダ部材１２は、持ち手１１５に沿って移動可能なものである。
【００２６】
図１に示すストラップ１３は、長尺の帯状のものである。ホルダ部材１２は、ストラップ１３の幅Ｗ１よりも長い領域Ｗ２で持ち手１１５に接している。ホルダ部材１２が持ち手１１５に接している領域Ｗ２は、ストラップ１３の幅Ｗ１の３倍以上であるが、２倍以上であってもよい。
【００２７】
袋体１１の底側の左右部分それぞれには、外向きにＤカン１１８が取り付けられている。すなわち、Ｄカン１１８は、第１持ち手１１６の取り付け部分の下端部に外向きに取り付けられている。一方、ストラップ１３の一端には、ナスカン１３１が設けられている。このナスカン１３１は、左右いずれか一方のＤカン１１８に接続される。図１では、ナスカン１３１は、左側（バッグ１自身からすれば右側）のＤカン１１８に接続されている。なお、図２に示すように、Ｄカン１１８は、第１胴１１１に取り付けられているが、第２胴１１２には取り付けられていない。図１に示すバッグ１の収納部１１０を背中側で固定する場合、第１胴１１１を背中側に向けることで、Ｄカン１１８とナスカン１３１の接続している箇所が見えなくなる。
【００２８】
図１に示すストラップ１３の他端、すなわち、ナスカン１３１が設けられた側とは反対側には、接続部１３２が設けられている。図１に示す接続部１３２は、凹部と凸部が長手方向に間隔をあけて設けられ、ループ状にして凹部と凸部を押し合わせて接続するスナップボタン（ホック）式のものである。ホルダ部材１２には、スリット１２１が設けられている。接続部１３２は、ホルダ部材１２に巻き掛けられ、このスリット１２１を通してループ状になり、スナップボタン１３２１によって留められることで、ホルダ部材１２に接続している。図１に示すように、ストラップ１３は、袋体１１の底側とホルダ部材１２を結んでいる。
【００２９】
図３は、図１に示すバッグ１の収納部１１０を背中側で固定する例を模式的に示す図である。図３（ａ）は使用者Ｈを正面から示す図であり、同図（ｂ）は使用者Ｈを背面から示す図である。
【００３０】
図１に示すバッグ１は、ストラップ１３を用いずに、持ち手１１５を肩にかけて使用することもできるが、それでは、持ち手１１５が肩からずり落ちることが気になる場合がある。また、収納部１１０が大きく揺れてしまうことが気になる場合もある。これらの場合には、ストラップ１３を使用して、持ち手１１５が肩からずり落ちることを防止するとともに、使用者Ｈの体にバッグ１をフイットさせ収納部１１０の揺れも抑えることができる。
【００３１】
まず、使用者Ｈは、左右どちらかの肩に持ち手をかける。この図３に示す例では、ホルダ部材１２によって一つにまとめられた持ち手１１５が使用者Ｈの左肩ＬＳにかけられている。持ち手１１５を左肩ＬＳにかける場合には、図１に示すバッグ１のように、ストラップ１３のナスカン１３１は、バッグ１自身からすれば右側のＤカン１１８に接続しておく。一方、ストラップ１３の接続部１３２は、ホルダ部材１２に未接続の状態にしておく。また、ホルダ部材１２は、持ち手の一番高い位置から、持ち手１１５の右側（バッグ１自身からすれば左側）の付け根部分の間に位置させておく。すなわち、持ち手１１５を使用者Ｈの左肩ＬＳにかけた場合には、ホルダ部材１２が正面側に位置するようにしておく。
【００３２】
図３（ｂ）に示すように、Ｄカン１１８が設けられた第１胴１１１を使用者Ｈの背中ＢＫ側に向け、ストラップ１３を、持ち手をかけた側とは反対側（この例では右側）の脇の下を通して、ストラップ１３の接続部１３２が正面側にくるようにストラップ１３を回し込む。袋体１１の姿勢は、少し斜めの姿勢（袋体１１自身からすれば右側の底部が右側に持ち上げられた斜めの姿勢）になる。使用者Ｈを後から見た場合、第２胴１１２が見えるだけであって、Ｄカン１１８は見えない。
【００３３】
ストラップ１３の接続部１３２を、ホルダ部材１２に巻き掛け、ホルダ部材１２のスリット１２１を通してループ状にし、スナップボタン１３２１によって留める。
【００３４】
こうすることで、バッグ１の収納部１１０が背中側に固定される。ストラップ１３の長さ、あるいはホルダ部材１２の位置によって、持ち手１１５が内側（この例では右側）に引っ張られる程度は異なるが、持ち手１１５が内側に引っ張られていることで、持ち手１１５が肩から外側へずり落ちることが防止されている。また、袋体１１は、斜めの姿勢になるほどストラップ１３によって引っ張られており、収納部１１０が大きく揺れてしまうことも抑えられている。
【００３５】
本実施形態のバッグ１によれば、ホルダ部材１２が持ち手１１５に面で接することになり、点で接する場合よりも一箇所にかかる力が小さくなり、持ち手１１５が変形する場合であっても、持ち手１１５は広い範囲にわたって変形するため、１箇所において変形するよりも変形の程度は小さくてすみ、持ち手１１５が変形して肩に食い込むことを低減することができる。また、収納部１１０に重い荷物を収納しても、持ち手１１５が破損することも低減される。
【００３６】
また、ホルダ部材１２は、持ち手１１５に沿って移動可能なものであるため、持ち手１１５に対するストラップ１３の接続位置を、無段階に連続して容易に変えることができる。収納部１１０に収納された荷物の重さは、持ち手１１５に直接かかる下向きの力と、ホルダ部材１２を介して持ち手１１５がストラップ１３によって引っ張られる力とに分力される。ホルダ部材１２を上の位置に取り付けた状態で、ストラップ１３に多少の緩みを与えてバッグ１の収納部１１０を背中側に固定すると、使用者Ｈが動いていくうちに、持ち手１１５に直接かかる下向きの力と、持ち手１１５がストラップ１３によって引っ張られる力とが最もバランスした位置にホルダ部材１２が落ちていき、持ち手１１５が変形して肩に食い込むことをより低減することができる場合がある。
【００３７】
さらに、ホルダ部材１２をできるだけ下方に取り付け、ストラップ１３のうち胸側に位置する部分を下げることで、胸の周りにあるリンパ線を押さえることを避けることができる。また、女性の場合には、乳房を避けることができ、バッグ１を装着することの抵抗を無くすことができる。これらの場合、肩にかけた持ち手１１５の、第１胴１１１側の端部にホルダ部材１２を取り付ければよく、持ち手１１５は長い方が好ましい。例えば、肩にかけた持ち手１１５の、第１胴１１１側の端部にホルダ部材１２を取り付けた場合、胸側を走るストラップ１３がほぼ水平（例えば、図３（ａ）の場合は１４５度程度であるが、１６０度以上１８０度以下が好ましい）になる程度の長さが持ち手１１５にあることが好ましい。
【００３８】
加えて、ホルダ部材１２によって、第１持ち手１１６と第２持ち手１１７は一つにまとめられ、持ち手全体としての強度が高まり、持ち手１１５が変形して肩に食い込むことがより低減される。また、ホルダ部材１２によって第１持ち手１１６と第２持ち手１１７が一つにまとめられていれば、肩にかけた場合に一方の持ち手のみが肩からずり落ちることがなくなる。
【００３９】
図４は、図１に示すバッグ１の変形例を示す図である。以下、図１に示すバッグ１との相違点を中心に説明し、これまで説明した事項と重複する事項については説明を省略する場合がある。また、これまで説明した構成要素の名称と同じ名称の構成要素には、これまで付した符号と同じ符号を付して説明する。
【００４０】
図４（ａ）は、変形例のバッグ１の持ち手１１５を左肩ＬＳにかけ、背中側で収納部１１０を固定した使用者Ｈを正面から示す図である。
【００４１】
この変形例では、ストラップ１３が、図１に示すストラップと異なる。図４（ａ）に示すストラップ１３には、長さ調節部材１３３と、バックル１３４が設けられている。長さ調節部材１３３は、長方形の枠体と、枠体の短辺どうしを接続した、不図示の固定軸と出口軸１３３１が一体に成形された樹脂製のものである。以下、図４（ａ）に示す長さ調節部材１３３の、紙面手前側を表側といい、紙面奥側を裏側という。ストラップ１３を構成するベルト体１３ａの一端側は、長さ調節部材１３３の固定軸に固定されており、他端側は、ナスカン１３１の取付リング１３１ａ（図１参照）に通された後、固定軸に表側から巻き掛けられ、次いで出口軸１３３１に裏側から巻き掛けられている。そして、ベルト体１３ａの他端は、出口軸１３３１を経てバックル１３４に固定されている。すなわち、長さ調節部材１３３の固定軸とナスカン１３１の取付リング１３１ａ（図１参照）の間は、ベルト体１３ａが二重構造になっており、固定軸とバックル１３４の間は、ベルト体１３ａは一重構造である。したがって、長さ調節部材１３３をナスカン１３１側に移動させると、二重構造部分が一重構造になってベルト体１３ａの長さは長くなる。反対に、長さ調節部材１３３をバックル１３４側に移動させると、一重構造部分が二重構造になってベルト体１３ａの長さは短くなる。
【００４２】
図４（ｂ）は、バックル１３４を示す図である。
【００４３】
バックル１３４は、ベルト体１３ａが固定された内側部１３４１と、接続部１３２が固定された外側部１３４２を有する連結部材である。内側部１３４１の先端側は、外側部１３４２の内側に収納される。内側部１３４１の先端１３４１ｔには磁石が配置されている。また、外側部１３４２の内側における、内側部１３４１の先端１３４１ｔと対向する部分にも磁石が配置されている。図４（ｂ）に示す矢印のように、内側部１３４１をスライドさせることで、外側部１３４２との脱着が可能である。特に、連結時には磁力によって外側部１３４２と内側部１３４１は容易に連結される。
【００４４】
図４（ｃ）は、図１に示すホルダ部材１２を開いた状態で示す図である。この変形例におけるホルダ部材１２も、図１に示すバッグ１におけるホルダ部材と同じである。ホルダ部材１２は、基部１２ａと、凸部１２２が設けられた第１折返部１２ｂと、凹部１２３が設けられた第２折返部１２ｃを有する。なお、第１折返部１２ｂに設けられた凸部１２２は、紙面奥側に向かって突出している。凹部１２３と凸部１２２でスナップボタンが構成されている。基部１２ａには、第１持ち手１１６と第２持ち手１１７が重ね合わされた状態で載置される。すなわち、基部１２ａには持ち手１１５が載置される。図４（ｃ）では、持ち手１１５を二点鎖線で示している。第１折返部１２ｂは、基部１２ａに載置された持ち手１１５に重ねられる部分である。したがって、基部１２ａと第１折返部１２ｂが、持ち手１１５を挟み込み、持ち手１１５に接することになる。第２折返部１２ｃは、その第１折返部１２ｂに重ねられる部分である。第２折返部１２ｃが第１折返部１２ｂに重ねられることで、凹部１２３と凸部１２２が対向し、押し合わせて凹部１２３と凸部１２２を接続する。
【００４５】
第１持ち手１１６と第２持ち手１１７のうちのいずれか一方の持ち手に、基部１２ａを固定してもよいが、この例では、ホルダ部材１２は、固定されておらず、持ち手１１５から取り外し自在である。ホルダ部材１２もバッグ１のデザインの一部を構成するものである。持ち手１１５を肩にかけるのではなく手に持つ場合には、ホルダ部材１２を取り外せば、全体的なイメージが少し変わったバッグとして使用することができるようになる。なお、基部１２ａに、第１持ち手１１６と第２持ち手１１７のうちのいずれか一方の持ち手のみを載置することもできる。ただし、持ち手が一つにまとまらず、載置しなかった方の持ち手は、載置した方の持ち手よりも外側（左肩にかけた場合には左側）にある場合には、肩からずり落ちる恐れがある。
【００４６】
図４（ｄ）は、接続部１３２を示す図である。
【００４７】
図４（ｄ）に示す接続部１３２の一端１３２ｔは、バックル１３４の外側部１３４２に固定されている。また、図４（ｄ）に示す接続部１３２には、長手方向に間隔をあけて設けられた凸部１３２１ａと凹部１３２１ｂが示されている。なお、図４（ｄ）に示す凹部１３２１ｂは、紙面手前側に向かって凹んでいるが、図４（ｄ）では凹んでいる様子は見えない。一方、図４（ｄ）に示す凸部１３２１ａは、紙面手前側に向かって突出している。接続部１３２は、ホルダ部材１２に巻き掛けられ、ホルダ部材１２のスリット１２１を通してループ状になり、凸部１３２１ａと凹部１３２１ｂが対向し、押し合わせて凸部１３２１ａと凹部１３２１ｂを接続する。図４（ｄ）に示す接続部１３２によって、簡単な構造でストラップ１３をホルダ部材１２に接続させることができる。
【００４８】
図５は、第２実施形態のバッグを示す正面図である。以下においても、これまで説明したバッグ１との相違点を中心に説明し、これまで説明した事項と重複する事項については説明を省略する場合がある。また、これまで説明した構成要素の名称と同じ名称の構成要素には、これまで付した符号と同じ符号を付して説明する。
【００４９】
図５に示すバッグ１における第１胴１１１には、第１持ち手１１６の左右それぞれにおける取り付け部の外側にファスナ１１１ｆが設けられている。このファスナ１１１ｆを開くと、収納部１１０につながっている。このファスナ１１１ｆを、図１に示すバッグ１や、図４に示す変形例のバッグ１に設けてもよい。
【００５０】
また、図５に示すバッグ１では、ストラップ１３の接続部１３２の構造に特徴がある。図５に示す接続部１３２は、フック部材１３２２と係止環１３２３から構成されている。フック部材１３２２は、係止爪１３２２ａと長さ調節部１３２２ｂを有する。ナスカン１３１の取付リング１３１ａに一端が固定されたベルト体１３ｂの他端は、この長さ調節部１３２２ｂの軸（不図示）に巻き掛けられて長さ調節部１３２２ｂに通されており、長さ調節部１３２２ｂから延びる他端部１３ｂ１の長さを調節することで、ベルト体１３ｂの、取付リング１３１ａと長さ調節部１３２２ｂとの間の長さを変えることができる。係止環１３２３は、ホルダ部材１２に巻き掛けられ、ホルダ部材１２のスリット１２１を通してループ状になっており、係止爪１３２２ａが挿入できるだけの隙間が残されている。図５に示すバッグ１では、係止爪１３２２ａが係止環１３２３に挿入され、係止爪１３２２ａが係止環１３２３に係止されている。
【００５１】
図６は、図５に示すバッグの変形例を示す図である。以下、図５に示すバッグ１との相違点を中心に説明し、これまで説明した事項と重複する事項については説明を省略する場合がある。また、これまで説明した構成要素の名称と同じ名称の構成要素には、これまで付した符号と同じ符号を付して説明する。
【００５２】
この変形例では、ストラップ１３が、図５に示すストラップと異なる。図６に示すストラップ１３の接続部１３２は、ナスカン１３２４と取付リング１３２５から構成されている。図６に示すストラップ１３では、ベルト体１３ｂの両端それぞれに、ナスカン１３１,１３２４と取付リング１３１ａ，１３２５が設けられている。そして、ホルダ部材１２には、スリットの代わりにＤカン１２４が設けられている。図６に示す接続部１３２を構成するナスカン１３２４は、このＤカン１２４に接続されている。
【００５３】
図７は、第３実施形態のバッグを示す正面図である。以下においても、これまで説明したバッグ１との相違点を中心に説明し、これまで説明した事項と重複する事項については説明を省略する場合がある。また、これまで説明した構成要素の名称と同じ名称の構成要素には、これまで付した符号と同じ符号を付して説明する。
【００５４】
図７に示すバッグ１のストラップ１３は、図４を用いて説明したストラップと同じく、バックル１３４が設けられている。ただし、図４（ａ）に示す長さ調節部材１３３は設けられていない。なお、この長さ調節部材１３３を設けてもよい。また、ストラップ１３の接続部１３２も、図４（ｄ）に示す接続部と同じ構造である。
【００５５】
図７に示すバッグ１では、ホルダ部材１２が、持ち手１１５の、肩にかける部分をほぼ覆う程の長さをもった、いわゆるカバー状のものである。このカバー状のホルダ部材１２は、ファスナ１２５を閉めることで持ち手１１５を覆う。図７に示すホルダ部材１２には、持ち手１１５の長さ方向に沿って、複数の巻き掛け部１２６が設けられている。ストラップ１３の接続部１３２は、この巻き掛け部１２６に通されることでホルダ部材１２に巻き掛けられ、スナップボタン１３２１によって留められ、ホルダ部材１２に接続している。図７に示すホルダ部材１２は、これまで説明したホルダ部材よりも長い領域で持ち手１１５に接している。一方、持ち手１１５に対するストラップ１３の接続位置は、これまでのホルダ部材１２を用いた場合には、連続的に変更可能であった。すなわち、任意の位置にすることができた。一方、図７に示すホルダ部材１２では、接続位置は予め決められた離散的な位置になる。
【００５６】
本発明は上述の実施の形態に限られることなく特許請求の範囲に記載した範囲で種々の変更を行うことができる。例えば、第１持ち手１１６は、第１胴１１１と別体のものであったが、第１持ち手１１６と第１胴１１１は一体のものであってもよい。第２持ち手１１７も、第２胴１１２と別体のものであったが、第２持ち手１１７と第２胴１１２も一体のものであってもよい。また、底部１１３を省略し、第１胴１１１と第２胴１１２における互いの底縁どうしを縫い合わせてもよい。あるいは、第１胴１１１と第２胴１１２の間にマチ部を設けてもよい。また、ストラップ１３の一端は、袋体１１の底側に接続されているが、袋体１１の底側とは、例えば、第１胴１１１の下半分部分であれば位置は限定されない。さらに、ストラップ１３は、袋体１１の底側を通って一端は、底部とは異なる場所に接続されていてもよい。すなわち、ストラップ１３は、袋体１１の底側と、持ち手１１５を結ぶものであればよく、ストラップ１３の端部がどこに位置するかは限定されない。
【００５７】
なお、以上説明した実施形態や変形例の記載それぞれにのみ含まれている構成要件であっても、その構成要件を、他の実施形態や他の変形例に適用してもよい。例えば、ファスナ１１１ｆが設けられていない第１胴１１１にファスナ１１１ｆを設けてもよいし、長さ調節部材１３３が設けられていないストラップ１３に長さ調節部材１３３を設けてもよいし、バックル１３４が設けられていないストラップ１３にバックル１３４を設けてもよい。
【００５８】
最後に、これまで説明したことを含めて、高品質なバッグであったり、スタイリッシュなバッグを提供するための技術的思想を、以下に付記する。
【００５９】
（付記１）
肩にかけることが可能な持ち手が設けられた袋体と、
前記持ち手に取り付けられたホルダ部材と、
前記袋体の底側と前記ホルダ部材を結ぶストラップとを備え、
前記ホルダ部材は、前記持ち手に沿って移動可能なものであることを特徴とするバッグ。
【００６０】
（付記２）
肩にかけることが可能な持ち手が設けられた袋体と、
前記持ち手に取り付けられたホルダ部材と、
前記袋体の底側と前記ホルダ部材を結ぶストラップとを備え、
前記ホルダ部材は、前記持ち手から取り外し自在なものであることを特徴とするバッグ。
【００６１】
（付記３）
肩にかけることが可能な持ち手が設けられた袋体と、
前記持ち手に取り付けられたホルダ部材と、
前記袋体の底側と前記ホルダ部材を結ぶストラップとを備え、
前記袋体は、第１胴と第２胴の間に収納空間を有するものであり、
前記持ち手は、前記第１胴に設けられた第１持ち手と、前記第２胴に設けられ、該第１持ち手とは離れた第２持ち手を含むものであり、
前記ホルダ部材は、前記第１持ち手と前記第２持ち手を一つにまとめることが可能なものであることを特徴とするバッグ。
【００６２】
（付記４）
前記ホルダ部材は、前記第１持ち手と前記第２持ち手のうちのいずれか一方の持ち手にのみ取り付けることも可能なものであることを特徴とする付記３に記載の記載のバッグ。
【００６３】
付記１〜４に記載の技術的思想によれば、高品質なバッグであったり、スタイリッシュなバッグを提供することができる。
（付記５）
肩にかけることが可能な持ち手が設けられた袋体と、
前記持ち手に取り付けられたホルダ部材と、
前記袋体の底側と前記ホルダ部材を結ぶストラップとを備え、
前記ホルダ部材は、前記ストラップの幅よりも長い領域で前記持ち手に接しているものであることを特徴とするバッグ。
なお、前記ホルダ部材は、前記ストラップの幅よりも２倍以上長い領域で前記持ち手に接しているものであってもよい。
【符号の説明】
【００６４】
１  バッグ
１１  袋体
１１０  収納部
１１１  第１胴
１１２  第２胴
１１３  底部
１２  ホルダ部材
１３  ストラップ
１１５  持ち手
１１６  第１持ち手
１１７  第２持ち手
Ｗ１  幅
Ｗ２  領域
【図１】
0006970463.tif 000002
【図２】
0006970463.tif 000003
【図３】
0006970463.tif 000004
【図４】
0006970463.tif 000005
【図５】
0006970463.tif 000006
【図６】
0006970463.tif 000007
【図７】
0006970463.tif 000008